(57)【要約】【課題】横積み時における水漏れを簡単に防止でき、使用後の処分も容易な切花の保水容器を提供する。【解決手段】枠体１の周壁に切込１０，１１を設け、袋２の口部に両端を輪状にした引締紐１２を挿通し、袋２内に水を入れ、切花の茎を挿入した袋２の口部を引締紐１２で絞り、袋２を枠体１に収納し、引締紐１２の輪状部分を枠体１の切込１０，１１に引っ掛けて、袋２の口部の絞りを維持すると共に、枠体１の周壁に対する袋２の口部の位置を一定に保持する。横積みにされても、袋２の口部が引締紐１２で絞られ、枠体１から吊り下げられて、水面の上方に保たれるので、切花の鮮度を保持しつつ、水漏れを防止することができ、使用後には、分別した袋２を嵩低く丸めて処分することができる。【選択図】  図４
2005008223.tif 000002
【特許請求の範囲】
【請求項１】
外箱の底部に挿入して、切花を水に挿した状態で輸送する切花の保水容器において、段ボール製の角柱状周壁を備えた枠体と、プラスチックフィルム製の袋とから成り、枠体の周壁に切込を設け、袋の口部に両端を輪状にした引締紐を挿通し、袋内に水を入れ、切花の茎を挿入した袋の口部を引締紐で絞り、袋を枠体に収納し、引締紐の輪状部分を枠体の切込に引っ掛けて、袋の口部の絞りを維持すると共に、枠体の周壁に対する袋の口部の位置を一定に保持するようにしたことを特徴とする切花の保水容器。
【発明の詳細な説明】
【０００１】
【発明の属する技術分野】
この発明は、切花を水に挿して鮮度を保ちつつ、輸送できるようにした切花の保水容器に関するものである。
【０００２】
【従来の技術】
従来、切花等の植物を、鮮度を保ちつつ輸送できるようにした梱包体として、図９に示すように、段ボール製の外箱５１及び台枠５２から成り、外箱５１の底部に台枠５２を挿入し、この台枠５２で鉢状の容器５３を保持して、容器５３に入れた土に植物５４を植えたままの状態で、植物５４を輸送できるようにしたものが使用されている（特許文献１参照）。
【０００３】
【特許文献１】
実公平４−３９１３２号公報（第５図）
【０００４】
【発明が解決しようとする課題】
ところで、上記梱包体の容器５３に水を入れ、切花を水に差した状態で輸送する際には、横積みしても水が漏れないように、容器５３として開口部に中心方向への鍔を有するプラスチック成形体を使用し、切花の茎に吸水性を有する新聞紙等を紐で巻き付けて、容器５３の開口部と茎の隙間をなくすようにしている。
【０００５】
しかしながら、この場合、新聞紙の巻き付け等に手間がかかるだけでなく、輸送先での開梱後に不要となった容器５３は、その回収が困難な現状から、不燃物として外箱や台枠とは分別して処分しなければならず、嵩高い不燃ごみが発生するという問題がある。
【０００６】
そこで、この発明は、横積み時における水漏れを簡単に防止でき、使用後の処分も容易な切花の保水容器を提供することを課題とする。
【０００７】
【課題を解決するための手段】
上記課題を解決するため、この発明に係る切花の保水容器は、段ボール製の角柱状周壁を備えた枠体と、プラスチックフィルム製の袋とから成り、枠体の周壁に切込を設け、袋の口部に両端を輪状にした引締紐を挿通し、袋内に水を入れ、切花の茎を挿入した袋の口部を引締紐で絞り、袋を枠体に収納し、引締紐の輪状部分を枠体の切込に引っ掛けて、袋の口部の絞りを維持すると共に、枠体の周壁に対する袋の口部の位置を一定に保持するようにしたのである。
【０００８】
この保水容器を外箱の底部に挿入した切花の梱包体では、袋に入れる水の量を所定量以下にしておくと、花卉市場等での荷扱い時に横積みにされても、袋の口部が水面の上方に保たれるので、水漏れが防止され、使用後には、分別した袋を嵩低く丸めて処分することができる。
【０００９】
【発明の実施の形態】
以下、この発明の実施の形態を添付図面に基づいて説明する。
【００１０】
この発明に係る切花の保水容器は、図１に示すような段ボール製のブランクから組み立てられる枠体１と、図２に示すようなプラスチックフィルム製の袋２とから構成される。
【００１１】
図１に示す枠体１のブランクでは、４枚の側板３が連設され、一端の側板３の外側縁には継代片４が連設されている。各側板３の下縁には底板５が、上縁には頂板６を介して重合板７がそれぞれ連設され、各重合板７の先端中央部には係止片８が、各側板３の中間部には係止穴９がそれぞれ形成されている。
【００１２】
また、各側板３と重合板７の頂板６を挟んだ境界中央部には、一側縁が膨出した切込１０が形成され、隣接する２組の側板３の境界部には、上縁が膨出した切込１１が形成されている。
【００１３】
一方、袋２の口部には、折り返した部分に２本の引締紐１２が挿通され、これらの引締紐１２は、袋２の口部両側の切欠部から引き出されて、その引き出し部分が輪状をなすように結ばれている。
【００１４】
上記のような枠体１のブランクを組み立てて保水容器を形成するには、図３に示すように、４枚の側板３を角筒状に折り曲げ、継代片４を反対側の側板３に貼着して周壁を形成し、底板５同士を噛み合わせて底面を閉止すると共に、頂板６及び重合板７を順次内側へ折り曲げて、係止片８を係止穴９に押し込む。
【００１５】
そして、図４に示すように、袋２の口部を引締紐１２で絞った状態で、袋２を枠体１に収納し、引締紐１２の輪状部分を枠体１の切込１０，１１に引っ掛けると、袋２の口部の絞りが維持されると共に、枠体１の周壁に対する袋２の口部の位置が一定に保持される。
【００１６】
このような保水容器を使用して、実際に切花を梱包する際には、袋２の内部に所定量の水を入れ、図５に示すように、切花の茎を袋２の口部に挿入して、袋２の口部を絞り、この保水容器を外箱１３の底部に挿入する。その後、外箱１３の扉部１４及び蓋板１５を閉じて封緘する。
【００１７】
このような梱包体では、例えば、花卉市場での荷扱い時に横積みにされても、図６に示すように、袋２の口部が引締紐１２で絞られ、枠体１から吊り下げられて、水面の上方に保たれるので、水漏れが防止されると共に、少量の水でもある程度の水深が得られるので、茎の下部が水に浸り、切花の鮮度が保持される。
【００１８】
そして、上記のような梱包体を配送先で廃棄する際には、枠体１から分離した袋２を丸めて処分することができるので、不燃ごみの嵩が減り、枠体１及び外箱１３をなす段ボールシートは、古紙の原料としてリサイクルし、資源を有効利用することができる。
【００１９】
ところで、この実施形態では、枠体１として四角柱状のものを示したが、枠体１は、図７に示すように、三角柱状であってもよく、図８に示すように、六角柱状であってもよい。
【００２０】
また、引締紐１２は、袋２の口部を絞ることができるものであればよく、木綿等の繊維を縒り合わせて編んだもののほか、プラスチックフィルムを細く切断したテープ状のものなどを使用することができる。
【００２１】
【発明の効果】
以上のように、この発明に係る保水容器を用いた梱包体では、花卉市場等での荷扱い時に横積みにされても、袋の口部が引締紐で絞られ、枠体から吊り下げられて、水面の上方に保たれるので、切花の鮮度を保持しつつ、水漏れを防止することができ、使用後には、分別した袋を嵩低く丸めて処分することができる。
【図面の簡単な説明】
【図１】この発明に係る保水容器の枠体のブランクを示す図
【図２】同上の保水容器の袋を示す図
【図３】同上の枠体の組立状態を示す斜視図
【図４】同上の枠体に袋をセットした状態を示す斜視図
【図５】同上の外箱への収納状態を示す斜視図
【図６】同上の梱包体の横積み状態を示す断面図
【図７】枠体を三角柱状とした実施形態を示す斜視図
【図８】枠体を六角柱状とした実施形態を示す斜視図
【図９】従来の保水容器を用いた梱包体を示す斜視図
【符号の説明】
１  枠体
２  袋
３  側板
４  継代片
５  底板
６  頂板
７  重合板
８  係止片
９  係止穴
１０，１１  切込
１２  引締紐
１３  外箱
１４  扉部
１５  蓋板
【図１】
2005008223.tif 000003
【図２】
2005008223.tif 000004
【図３】
2005008223.tif 000005
【図４】
2005008223.tif 000006
【図５】
2005008223.tif 000007
【図６】
2005008223.tif 000008
【図７】
2005008223.tif 000009
【図８】
2005008223.tif 000010
【図９】
2005008223.tif 000011